(57)【特許請求の範囲】
【請求項１】
ヘッドホンを構成するハウジングに設けられており、ユーザが前記ヘッドホンを装着した状態において前記ユーザの耳介の耳珠に一方向から接触する接触部と、
該接触部に設けられ、前記ユーザが前記ヘッドホンを装着すると前記ハウジングの内部方向に引っ込むように構成され、前記ユーザの血流に関する情報を得る反射型のセンサ部と、
前記センサ部を支持し、前記耳珠方向に付勢する弾性体と、
を備える血流センサ。
【請求項２】
前記センサ部は、発光素子から出射した光を前記ユーザの前記耳珠に向かって出射し、散乱光を受光素子で受光することにより前記血流に関する情報を得る
請求項１に記載の血流センサ。
【発明の詳細な説明】
【技術分野】
【０００１】
本技術は、ユーザの血流に関する情報を得るための血流センサに関する。
【背景技術】
【０００２】
従来から、ユーザの血流に関する情報である脈拍などを計測するための血流計がある。そのような血流計としては、腕などの皮膚にセンサを接触させて測定するもの、指先にセンサを接触させて測定するものなど様々な種類がある。
【０００３】
また、近年、健康増進を目的として、運動しながら血流計で脈拍や血中酸素飽和度などを測定することにより心肺能力を評価する方法が一般化してきている。そのような運動しながら測定を行う血流計としては、例えば、ユーザの耳たぶなどを挟むことにより測定を行う血流計がある（特許文献１）。
【先行技術文献】
【特許文献】
【０００４】
【特許文献１】特開２００８−１５４８０４号公報
【発明の概要】
【発明が解決しようとする課題】
【０００５】
しかし、そのような耳たぶなどを挟む血流計では、耳たぶなどを挟むことで血流を押さえてしまい、正確に測定を行えないという問題がある。また、耳たぶなどを挟むことにより長時間の使用に耐えない不快感、痛みなどをユーザに与えてしまうという問題もある。
【０００６】
本技術は、そのような問題点に鑑みてなされたものであり、ユーザに不快感、痛みを与えることのなく、正確に血流に関する情報を得ることができる血流センサを提供することを目的とする。
【課題を解決するための手段】
【０００７】
上述した課題を解決するために、本技術は、ヘッドホンを構成するハウジングに設けられており、ユーザが前記ヘッドホンを装着した状態において前記ユーザの耳介の耳珠に一方向から接触する接触部と、該接触部に設けられ、前記ユーザが前記ヘッドホンを装着すると前記ハウジングの内部方向に引っ込むように構成され、前記ユーザの血流に関する情報を得る反射型のセンサ部と、前記センサ部を支持し、前記耳珠方向に付勢する弾性体と、を備える血流センサである。
【発明の効果】
【０００８】
本技術によれば、ユーザに不快感、痛みなどを与えることなく血流に関する情報を得ることができる。また、正確に血流に関する情報を得ることができる。
【図面の簡単な説明】
【０００９】
【図１】図１Ａは、本技術の第１の実施の形態に係る血流センサを備えるヘッドホンの正面図であり、図１Ｂはヘッドホンの側面図であり、図１Ｃはヘッドホンの背面図であり、図１Ｄはヘッドホンの側面図であり、図１Ｅはセンサハウジングおよび血流センサの構成を示す平面図である。
【図２】図２は、血流センサによって得られる血流に関する情報の一例を示す図である。
【図３】図３は、ユーザが血流センサ付きヘッドホンを装着した状態を示す図である。
【図４】図４Ａは、本技術の第２の実施の形態に係る血流センサを備えるヘッドホンの側面図であり、図４Ｂはヘッドホンの正面図であり、図４Ｃはヘッドホンの側面図である。
【図５】図５は、ヘッドホンを構成するハウジングの内部構造を示すハウジングの断面図である。
【図６】図６Ａは、本技術の第３の実施の形態に係る血流センサを備えるヘッドホンの平面図であり、図６Ｂはヘッドホンの側面図であり、図６Ｃはユーザが血流センサ付きヘッドホンを装着した状態を示す図である。
【発明を実施するための形態】
【００１０】
以下、本技術の実施の形態について図面を参照しながら説明する。ただし、本技術は以下の実施例のみに限定されるものではない。なお、説明は以下の順序で行う。
＜１．第１の実施の形態＞
［１−１.血流センサおよび血流センサを備えるヘッドホンの構成］
＜２．第２の実施の形態＞
［２−１.血流センサおよび血流センサを備えるヘッドホンの構成］
＜３．第３の実施の形態＞
［３−１.血流センサおよび血流センサを備えるヘッドホンの構成］
＜４．変形例＞
【００１１】
＜１．第１の実施の形態＞
［１−１. 血流センサおよび血流センサを備えるヘッドホンの構成］
図１を参照して本技術の第１の実施の形態に係る血流センサを備えるヘッドホンの構成について説明する。第１の実施の形態においては、血流センサはヘッドホンを構成するＬチャンネルユニット１００またはＲチャンネルユニットのいずれかに設けられている。
【００１２】
図１は、センサ部１６０を備えるヘッドホンのＬチャンネルユニット１００の外観構成を示す図である。図１Ａは正面図、図１Ｂは側面図、図１Ｃは背面図、図１Ｄは側面図である。図１においてはセンサ部１６０はヘッドホンのＬ側であるＬチャンネルユニット１００に設けられているものとする。
【００１３】
図１に示されるＬチャンネルユニット１００を備えるヘッドホンは、イヤピース１２０を耳の外耳道に挿入するいわゆるインナーイヤー型のヘッドホンである。Ｌチャンネルユニット１００は、ハウジング１１０、音導管（図示せず。）およびイヤピース１２０とから構成されている。ハウジング１１０の形状は球状、円筒状、直方体状などどのような形状でもよい。ハウジング１１０内には例えば、ヘッドホン駆動用のバッテリー、音声処理回路、ドライバユニット（図示せず。）などが収納されている。
【００１４】
ハウジング１１０からは水平方向に突出するように円筒状の音導管が導出されている。音導管内部にはドライバユニットに接続されたＬチャンネルスピーカが設けられている。
【００１５】
イヤピース１２０は中央を貫くように孔部１２１が設けられた筒状に形成されている。また、先端に向かうに従い孔部１２１方向へ窄むように形成されている。その孔部１２１に音導管が挿入されることにより、イヤピース１２０はハウジング１１０に取り付けられている。すなわち、イヤピース１２０は、音導管に対して、音導管の先端が孔部１２１の開口から露出するように取り付けられている。
【００１６】
イヤピース１２０は、例えばシリコンゴムのような弾性材を用いて形成されることにより、自由に変形可能なものとなっている。よって、イヤピース１２０は外耳道に挿入されると外耳道に密着し、これによりヘッドホンの装着状態が維持されることとなる。ユーザがイヤピース１２０を耳の外耳道に挿入することにより、内部にＬチャンネルスピーカを備える音導管がイヤピース１２０を介してユーザの耳の外耳道に挿入されることになる。
【００１７】
ハウジング１１０の下端にはコード１３０が接続されている。コード１３０は、内部にＬチャンネル用導線、電力供給用線、センサ部１６０により取得した情報伝達用の信号線（いずれも図示せず。）などが挿通している。コード１３０は、オーディオ信号の伝送、電力供給、情報伝達を行うためのものある。コード１３０の他端は例えば、スマートフォン、携帯電話機、携帯音楽プレーヤなどの端末装置に接続されている。端末装置によって再生された音声は音導管内に設けられたＬチャンネルスピーカから出力される。
【００１８】
さらに、ハウジング１１０には斜め上方に突出するように棒状のアーム部１４０が設けられている。アーム部１４０は、例えばシリコンゴムなど柔軟性を有する素材で形成されることにより可撓性を有するように構成されている。アーム部１４０内部には、アーム部１４０の先端に位置するセンサ部１６０用の電力供給線、情報伝達用の信号線が挿通してある。これら線はコード１３０内に挿通してある電力供給線、信号線と接続されている。
【００１９】
アーム部１４０の先端にはセンサ部１６０を収納するためのセンサハウジング１５０が設けられている。センサハウジング１５０は、例えば、プラスチック、シリコンゴムなどの合成樹脂により形成されている。センサハウジング１５０は、ユーザがヘッドホンを装着して血流に関する情報を取得する場合において耳介の耳甲介舟に接触するものであるため、ユーザに不快感や痛みを与えないように丸面状に形成するとよい。センサハウジング１５０は特許請求の範囲における接触部に相当するものである。
【００２０】
センサハウジング１５０内にはセンサ部１６０が設けられている。図１Ｅに示されるように、センサ部１６０は、公知の反射型の血流センサであり、ＬＥＤ（Light Emitting Diode）などの発光素子１６１と、フォトダイオードなどの受光素子１６２がそれぞれ１つずつ並べて配置されたものである。発光素子１６１と受光素子１６２は、センサハウジング１５０内において所定の回路基板上等に配置され、ベース材などにより支持されている。また、センサハウジング１５０内には、発光素子１６１を駆動させる駆動装置、受光素子１６２により受光した光を増幅する増幅器などのセンサ部１６０による血流に関する情報の取得に必要な構成部品が設けられている。
【００２１】
ＬＥＤなどの発光素子１６１とフォトダイオードなどの受光素子１６２とにより得ることができる血流に関する情報としては脈拍がある。発光素子１６１と受光素子１６２によって脈拍を検出する技術としては既存の技術を採用することができる。脈拍の検出を行うにはまず、例えば、血液に吸収されやすい波長の光、赤色光と赤外光などを発光素子１６１からユーザの皮膚（生体内）に向けて発光し、生体内に進入後散乱して反射してきた光を受光素子１６２で受光する。そして、受光した光を電気信号に変換し、図２に示されるようなデータを取得し、そのデータを解析することにより脈拍が検出される。センサ部１６０により取得したデータはアーム部内の信号線、コード１３０内の信号線を通じて端末装置などに送られる。
【００２２】
図２は、縦軸を受光素子１６２で受けた反射光のレベルとし、横軸を時間として、センサ部１６０により得ることができる血流に関する情報の一例を示すものである。図２中のΔｙは反射光のレベルの振幅を示すものである。図２中のΔｘで示されるように波形の周期を把握することによりセンサ部１６０からの情報からユーザの脈拍を得ることができる。なお、図２中の値はあくまで例示であり、値は個々のユーザごと、測定ごとに異なるものである。
【００２３】
なお、センサ部１６０は、ヘッドホンを構成するＬチャンネルユニット１００とＲチャンネルユニットのいずれか一方に設けられていればよい。ただし、この記載はＬチャンネルユニット、Ｒチャンネルユニットの両方に血流センサを設けることを排除するものではない。
【００２４】
図３は、ユーザがセンサ部１６０付きヘッドホンを装着した状態を示す図である。図３においては、センサ部１６０はＬチャンネルユニット１００に設けられており、ユーザは左耳で血流に関する情報の取得を行うものとする。ユーザはＬチャンネルユニット１００のイヤピース１２０を左耳の外耳道に挿入し、同様にＲチャンネルユニットのＲ側イヤピースを右耳の外耳道に挿入することによりヘッドホンを装着する（図３においては左耳のみが示されている。）。
【００２５】
そして、ヘッドホンを装着した状態において、ユーザはセンサハウジング１５０を耳介１０００の耳甲介舟１１００に接触させる。センサハウジング１５０はＬチャンネルユニット１００のハウジング１１０に設けられたアーム部１４０の先端に設けられており、そのセンサハウジング１５０にセンサ部１６０が設けられている。したがって、イヤピース１２０を外耳道に挿入した状態においてセンサハウジング１５０を耳甲介舟１１００に位置させるとセンサ部１６０が耳甲介舟１１００に接触することとなる。この状態で、センサ部１６０の発光素子１６１が耳甲介舟１１００に向けて光を照射し、その反射光をセンサ部１６０の受光素子１６２で受けることで血流に関する情報の取得が行われる。
【００２６】
また、イヤピース１２０を外耳道に挿入した状態においてセンサハウジング１５０を耳甲介舟１１００に位置させると、アーム部１４０がユーザごとの耳介１０００の寸法の個人差に合わせて撓むこととなる。このアーム部１４０の撓みによる反力によってセンサハウジング１５０が耳甲介舟１１００に密着することとなる。これにより、センサハウジング１５０の位置が安定し、確実にセンサ部１６０による血流に関する情報の取得を行うことができる。さらに、ヘッドホンの装着を安定させることもでき、センサ部１６０が耳甲介舟１１００から不用意に離間してしまうことを防止することができる。ただし、アーム部１４０は、シリコンゴムなどで可撓性を有するように構成されているため撓みによる押圧力はわずかであり、センサハウジング１５０が耳甲介舟１１００を押圧していてもユーザに不快感、痛みなどを与えることがなく、良好な装着感、安定感を実現することができる。このようにアーム部１４０が撓むようにアーム部は少なくともハウジング１１０と耳甲介舟１１００の間の距離以上の長さを有するように構成する必要がある。
【００２７】
＜２．第２の実施の形態＞
［２−１.血流センサおよび血流センサを備えるヘッドホンの構成］
次に、本技術の第２の実施の形態について説明する。第２の実施の形態は血流センサがヘッドホンに設けられている点は第１の実施の形態と共通するが、血流センサがヘッドホンを構成するハウジング自体に設けられている点で第２の実施の形態と相違する。
【００２８】
図４は、第２の実施の形態に係る血流センサ付きヘッドホンのＬチャンネルユニット２００の外観構成を示す図である。図４Ａは側面図であり、図４Ｂは正面図であり、図４Ｃは側面図である。
【００２９】
図４に示されるＬチャンネルユニット２００を備えるヘッドホンは、イヤピース２２０を外耳道に挿入するいわゆるインナーイヤー型のヘッドホンである。Ｌチャンネルユニット２００は、ハウジング２１０、音導管（図示せず。）およびイヤピース２２０とから構成されている。ハウジング２１０内には例えば、ヘッドホン駆動用のバッテリー、音声処理回路、ドライバユニットなどが収納されている。
【００３０】
そして、ハウジング２１０からは横方向に突出するように円筒状の音導管（図示せず。）が導出されている。音導管内部にはドライバユニットに接続されたＬチャンネルスピーカが設けられている。
【００３１】
イヤピース２２０の構成は第１の実施の形態と同様である。イヤピース２２０は中央に孔部２２１が設けられた筒状に形成されるとともに、先端に向かうに従い窄むように形成されている。その孔部２２１に音導管が挿入されることにより、イヤピース２２０はハウジング２１０に取り付けられている。
【００３２】
ハウジング２１０の下端にはコード２３０が接続されている。コード２３０も第１の実施の形態と同様のものであり、オーディオ信号の伝送、電力供給、血流センサにより取得した情報の伝達などを行うためのものある。コード２３０の他端は例えば、スマートフォン、携帯電話機、携帯音楽プレーヤなどの端末装置に接続されている。
【００３３】
ハウジング２１０には片側側面において外部に露出するようにセンサ部２４０が設けられている。センサ部２４０は、ＬＥＤなどの発光素子２４１と、フォトダイオードなどの受光素子２４２とから構成されるものであり、第１の実施の形態と同様のものである。ハウジング２１０は特許請求の範囲における接触部に相当するものである。
【００３４】
第２の実施の形態においては、センサ部２４０は、ユーザがイヤピース２２０を外耳道に挿入してヘッドホンを装着した状態において、耳介の耳珠に接触する位置に設けられている。このように、センサ部２４０よって血流に関する情報の取得が可能な場所は第１の実施の形態における耳甲介舟に限られるものではない。耳珠に対してセンサ部２４０の発光素子２４１から光を照射して、その反射光をセンサ部２４０の受光素子２４２で受けても血流に関する情報の取得を行うことができる。
【００３５】
いわゆるインナーイヤー型のヘッドホンである第１の実施の形態、第２の実施の形態においては、外耳道に挿入されるイヤピース２２０にセンサ部２４０が設けられていないため、センサ部２４０の存在がヘッドホンから出力される音質に悪影響を及ぼすおそれがない。
【００３６】
なお、ユーザがヘッドホンを装着すると、センサ部２４０がわずかにハウジング２１０の内部方向に引っ込むように構成してもよい。図５はハウジング２１０内の構成を示す、図４ＡにおけるＶ−Ｖ断面図である。なお、説明の便宜上、ハウジング２１０の断面のみを示し、ハウジング２１０内における弾性体２５０とセンサ部２４０以外の構成は省略する。
【００３７】
センサ部２４０はハウジング２１０内部において弾性体２５０を介して支持されている。弾性体２５０はセンサ部２４０を支持しつつ、力を加えられることにより収縮可能なものであればどのようなものでもよい。弾性体２５０としては例えばバネが挙げられる。このような構成により、ユーザがヘッドホンを装着してセンサ部２４０が押圧されると、弾性体２５０が収縮し、センサ部２４０はハウジング２１０内部方向に引っ込むこととなる。これにより、圧迫されることによるセンサ部２４０の故障を防止することができる。また、弾性体２５０は、その弾性力によりセンサ部２４０を耳珠方向に付勢するのでユーザに違和感や痛みを与えることなく、確実にセンサ部２４０を耳珠に接触させることができる。
【００３８】
＜３．第３の実施の形態＞
［３−１. 血流センサおよび血流センサを備えるヘッドホンの構成］
次に、本技術の第３の実施の形態について説明する。第３の実施の形態は血流センサがヘッドホンに設けられている点は第１の実施の形態と共通するが、ヘッドホンが、バンドがユーザの後頭部を通過するいわゆるネックバンド型である点で第１および第２の実施の形態と相違する。
【００３９】
図６Ａはヘッドホン３００の平面図、図６Ｂはヘッドホン３００の側面図、図６Ｃはユーザがヘッドホン３００を装着した状態を示す図である。ヘッドホン３００は、ネックバンド３１０と、ネックバンド３１０の一端に設けられたＬチャンネルユニット３４０と、ネックバンド３１０の他端に設けられたＲチャンネルユニット３５０とから構成されている。
【００４０】
ネックバンド３１０は、ユーザの後頭部の形に沿って這わされるように湾曲状に形成されている。また、ネックバンド３１０は、ネックバンド３１０を耳殻に引っ掛けるために略円弧状に形成されたＬ側耳掛け部３２０とＲ側耳掛け部３３０とを有し、そのＬ側耳掛け部３２０とＲ側耳掛け部３３０以外の部分が後頭部に沿って這った状態で保持されるように構成されている。
【００４１】
ネックバンド３１０内部には、Ｌ側耳掛け部３２０とＲ側耳掛け部３３０の形状及びユーザの後頭部に沿った形状に湾曲されたワイヤー（図示せず）が挿通されており、装着時、ネックバンド３１０の形状が容易に変形することがないように考慮されている。ネックバンド３１０は、被覆体として例えばポリプロピレン（ＰＰ）や、ポリブチレンテレフタレート（ＰＢＰ）等の合成樹脂からなる弾性体が材料として用いられている。
【００４２】
Ｌ側耳掛け部３２０とＲ側耳掛け部３３０の先端にはそれぞれＬチャンネルユニット３４０とＲチャンネルユニット３５０が設けられている。Ｌチャンネルユニット３４０はハウジング３４１とイヤパッド３４２とからなり、ハウジング３４１内にはヘッドホン駆動用のバッテリー、音声処理回路、ドライバユニットなどが設けられている。Ｒチャンネルユニット３５０はハウジング３５１とイヤパッド３５２とから構成されている。
【００４３】
ハウジング３４１の内側側面にはイヤパッド３４２が設けられている。イヤパッド３４２は、ハウジング３４１とユーザの側頭部との間に介在することにより、ハウジング３４１とユーザの側頭部間の緩衝部材として機能するものである。すなわち、イヤパッド３４２は、ヘッドホン３００の装着時において、変形しにくい硬い素材で形成されたハウジングが直接ユーザの耳および側頭部に接してユーザに不快感や痛みを与えることを防止するものである。
【００４４】
また、イヤパッド３４２は、音抜けを抑制することにより、低音域の再現性の向上などの音質の向上を図る役割も担う。また、ドライバユニットから出力される音声が外部に漏れることを防ぐ役割も担う。さらに、イヤパッド３４２は外部からの騒音を遮断してドライバユニットからの音声を聴取し易くする働きも担う。
【００４５】
Ｒチャンネルユニット３５０もハウジング３５１とイヤパッド３５２とからＬチャンネルユニット３４０と同様に構成されている。
【００４６】
ハウジング３４１の下端にはコード３６０が接続されている。コード３６０は第１の実施の形態と同様のものであり、オーディオ信号の伝送、電力供給、血流に関する情報の伝達などを行うためのものある。コード３６０の他端は例えば、スマートフォン、携帯電話機、携帯音楽プレーヤなどの端末装置に接続されている。
【００４７】
さらに、ネックバンド３１０のＬ側、Ｒ側には下方に延出するように構成されたＬ側耳裏接触部３７０、Ｒ側耳裏接触部３８０が設けられている。図６においては、Ｌ側耳裏接触部３７０はＬチャンネルユニット３４０の形状に沿うように湾曲状に形成されている。同様に、Ｒ側耳裏接触部３８０もＲチャンネルユニット３５０の形状に沿うように湾曲状に形成されている。ただし、Ｌ側耳裏接触部３７０とＲ側耳裏接触部３８０の形状はこれに限られるものではない。Ｌ側耳裏接触部３７０は、センサ部３９０を耳介の裏に接触させるためのものであるが、ユーザがヘッドホン３００を装着した状態において、Ｌ側耳裏接触部３７０が耳介の裏側の形状に沿って接触するようにすることにより、ヘッドホン３００の装着状態を安定させる役割を担うようにしてもよい。
【００４８】
Ｌ側耳裏接触部３７０にはセンサ部３９０が設けられている。センサ部３９０は、ＬＥＤなどの発光素子と、フォトダイオードなどの受光素子とから構成される既存の血流センサを構成するものであり、第１の実施の形態と同様のものである。センサ部３９０は、発光素子と受光素子とが内側（装着時におけるユーザの方向）を向くように設けられている。
【００４９】
図６Ｃに示されるように、ユーザがヘッドホン３００を装着すると、Ｌ側耳裏接触部３７０に設けられたセンサ部３９０がユーザの耳介の裏に接触することとなる。この状態で、センサ部３９０の発光素子が耳介の裏に光を照射し、その反射光をセンサ部３９０の受光素子で受けることにより血流に関する情報の取得を行うことができる。このように、センサ部３９０によって血流に関する情報の取得が可能な場所は第１の実施の形態における耳甲介舟、第２の実施の形態における耳珠に限られるものではない。
【００５０】
なお、第３の実施の形態においても第１および第２の実施の形態と同様に、センサ部３９０はヘッドホン３００のＬチャンネル側、Ｒチャンネル側のいずれか一方に設けられていればよい。ただし、この記載はヘッドホン３００のＬチャンネル側、Ｒチャンネル側の両方に設けることを排除するものではない。
【００５１】
以上、本技術の第１、第２および第３の実施の形態について説明した。これらの実施の形態においては、ヘッドホンに血流センサが設けられていることにより、音楽を聴取しながら脈拍などの血流に関する情報の取得を行うことができる。よって、音楽を聴取しながらのエクササイズ、ランニングなどの用途に最適である。
【００５２】
また、血流センサにより取得した血流に関する情報は、スマートフォン、携帯電話機、携帯型音楽プレーヤ、パーソナルコンピュータ、タブレット端末などの外部機器において動作する健康管理アプリケーション、運動管理アプリケーションなどにおいて用いることができる。
【００５３】
また、第１乃至第３のいずれの実施の形態も、血流に関する情報の取得のために血流センサなどで耳を挟むことは行わず、耳の所定の位置に血流センサを接触させるのみであるため、血流が阻害されるということがない。したがって、より正確に血流に関する情報を測定することできる。また、耳を挟まないため、たとえ長時間使用してもユーザに不快感、痛みなどを与えるおそれがない。
【００５４】
＜４．変形例＞
以上、本技術の実施の形態について具体的に説明したが、本技術は上述の実施形態に限定されるものではなく、本技術の技術的思想に基づく各種の変形が可能である。
【００５５】
上述した第１乃至第３の実施の形態においては、音声を出力するヘッドホンに血流センサが設けられている構成について説明した。ただし、本技術に係る血流センサは必ずしも音声を出力するヘッドホンに設けられている必要はない。音声出力機能を備えてはいないが、耳に装着することが可能な機器、バンドなどに血流センサが設けられており、耳の所定の位置において血流に関する情報の取得を行うことができればよい。
【００５６】
また、第１、第２の実施の形態は、インナーイヤー型ヘッドホンに血流センサが設けられている構成について説明を行った。また、第３の実施の形態においてはネックバンド型ヘッドホンに血流センサが設けられている構成について説明を行った。ただし、ヘッドホンはそれらに限られるものではなく、イヤパッドを有するヘッドホンのイヤパッドに血流センサを設けるという構成を採用することも可能である。
【００５７】
また、実施の形態では、血流センサは発光素子と受光素子とからなる光を利用した反射型のセンサであるとして説明を行った。しかし、血流センサはそのような光を用いた反射型のものに限られず、他の方式、例えば超音波を用いたセンサであってもよい。超音波を用いた血流センサとしては、ユーザの皮膚に対して超音波を発信し、血液中の赤血球に超音波を当てると、反射してくる超音波の周波数はドップラー効果によって血流速度に応じて偏移することを利用したものなどがある。
【００５８】
ただし、血流に関する情報を取得することができる血流センサであれば、光、超音波以外のものを利用したセンサを採用してもよい。
【００５９】
また、本技術は以下のような構成も取ることができる。
【００６０】
（１）ユーザの耳介または耳介周辺における所定の位置に一方向から接触する接触部と、
該接触部に設けられ、前記ユーザの血流に関する情報を得る反射型のセンサ部と
を備える
血流センサ。
【００６１】
（２）一端がヘッドホンに接続されたアーム部をさらに備え、
前記接触部は、前記アーム部の他端に設けられており、
前記センサ部は、前記ユーザが前記ヘッドホンを装着した状態において前記耳介の耳甲介舟に接触する
前記（１）に記載の血流センサ。
【００６２】
（３）前記アーム部は、可撓性を有し、前記接触部が前記耳甲介舟に接触した状態において撓むように構成されている
前記（２）に記載の血流センサ。
【００６３】
（４）前記接触部は、ヘッドホンを構成するハウジングに設けられており、前記ユーザが前記ヘッドホンを装着した状態において前記耳介の耳珠に接触する
前記（１）から（３）のいずれかに記載の血流センサ。
【００６４】
（５）前記接触部は、ヘッドホンを構成するネックバンドに設けられており、前記ユーザが前記ヘッドホンを装着した状態において前記耳介の裏側に接触する
前記（１）から（４）のいずれかに記載の血流センサ。
【００６５】
（６）前記センサ部は、発光素子から出射した光を前記ユーザの前記耳介または耳介周辺に向かって出射し、散乱光を受光素子で受光することにより前記血流に関する情報を得る
前記（１）から（５）のいずれかに記載の血流センサ。
【符号の説明】
【００６６】
１００、２００・・・・・・Ｌチャンネルユニット
１５０・・・・・・・・・・センサハウジング
１４０・・・・・・・・・・アーム部
１６０、２４０、３９０・・血流センサ
３００・・・・・・・・・・ヘッドホン
３１０・・・・・・・・・・ネックバンド
３４０・・・・・・・・・・Ｌ側ヘッドホンユニット
３７０・・・・・・・・・・Ｌ側耳裏接触部
【図１】
0005915197.tif 000002
【図３】
0005915197.tif 000003
【図５】
0005915197.tif 000004
【図６】
0005915197.tif 000005
【図２】
0005915197.tif 000006
【図４】
0005915197.tif 000007